(57)【要約】      （修正有）【課題】パッド本体の表面を鼻の表面の曲面に合致させることで、メガネフレームを顔部に装着した場合の安定感を向上させる。【解決手段】アイウエアを顔部に対して位置決めするノーズパッド２６２であって、ノーズパッドが取り付けられたアイウエアが顔部に装着された場合に、鼻側になる表面４０２と、その外周が表面の外周に接し、ノーズパッドをアイウエアに取り付けるノーズパッド取り付け部の側の裏面４０４とを有し、表面が、アイウエアが顔部に装着された場合に、鼻に当接する当接面と、当接面から顔部の前方側へ延伸し、前方側を向いている延伸面とを含む。【選択図】図４
2012037669.tif 000002
【特許請求の範囲】
【請求項１】
アイウエアを顔部に対して位置決めするノーズパッドであって、
前記ノーズパッドが取り付けられた前記アイウエアが前記顔部に装着された場合に、鼻側になる表面と、
その外周が前記表面の外周に接し、前記ノーズパッドを前記アイウエアに取り付けるノーズパッド取り付け部の側の裏面と、
を有し、
前記表面が、
前記アイウエアが前記顔部に装着された場合に、鼻に当接する当接面と、
前記当接面から前記顔部の前方側へ延伸し、前記前方側を向いている延伸面と、
を含む、
ノーズパッド。
【請求項２】
前記延伸面は、前記アイウエアが前記顔部に装着された場合に、鼻の付け根にある鼻骨の窪みに皮膚を介して当接する延伸当接面を有する、
請求項１に記載のノーズパッド。
【請求項３】
前記アイウエアが前記顔部に装着された場合に、前記ノーズパッド取り付け部よりも、前記前方の反対側の方向である後方に突出する突出部を有し、
前記突出部は、前記アイウエアが前記顔部に装着された場合に前記ノーズパッド取り付け部よりも上方となる領域、および、前記アイウエアが前記顔部に装着された場合に前記ノーズパッド取り付け部よりも下方となる領域の少なくとも一方が、前記アイウエアが前記顔部に装着された場合に前記前方となる方向に窪んでいる、
請求項１または請求項２に記載のノーズパッド。
【請求項４】
前記裏面が、
前記ノーズパッド取り付け部が配される第１の面と、
少なくとも一部が、前記第１の面から延伸し、前記ノーズパッド取り付け部の側面に対向する第２の面と、
を有し、
前記表面は、前記第２の面の外周と接し、前記第１の面の向きとは反対の側に凸に形成される、
請求項１から請求項３までの何れか一項に記載のノーズパッド。
【請求項５】
顔部に対してアイウエアを位置決めするノーズパッドであって、
前記アイウエアが前記顔部に装着された場合に、前記アイウエアに前記ノーズパッドを取り付けるノーズパッド取り付け部よりも、前記顔部の前方の反対側の方向である後方に突出する突出部を有し、
前記突出部は、前記アイウエアが前記顔部に装着された場合に前記ノーズパッド取り付け部よりも上方となる領域、および、前記アイウエアが前記顔部に装着された場合に前記ノーズパッド取り付け部よりも下方となる領域の少なくとも一方が、前記アイウエアが前記顔部に装着された場合に前記前方となる方向に窪んでいる、
ノーズパッド。
【請求項６】
前記顔部に装着されるアイウエアであって、
請求項１から請求項５までの何れか一項に記載のノーズパッドを備える、
アイウエア。
【発明の詳細な説明】
【技術分野】
【０００１】
本発明は、ノーズパッドおよびアイウエアに関する。
【背景技術】
【０００２】
メガネを使用者の顔部に対して位置決めするノーズパッドとして、板状のパッド本体と、パッド本体の中心部に設けられたパッド芯とを備えたノーズパッドが知られている。また、近年、パッド本体の表面を鼻の表面の曲面に合致させることで、メガネからの荷重をパッド本体全体に分散させることが試みられている（例えば、特許文献１を参照。）。
特許文献１  特開２００６−１０６２７３
【発明の概要】
【発明が解決しようとする課題】
【０００３】
パッド本体の表面を鼻の表面の曲面に合致させることで、メガネフレームを顔部に装着した場合の安定感も向上するが、更なる安定感の向上が望まれている。
【課題を解決するための手段】
【０００４】
上記課題を解決するために、本発明の第１の態様においては、アイウエアを顔部に対して位置決めするノーズパッドであって、ノーズパッドが取り付けられたアイウエアが顔部に装着された場合に、鼻側になる表面と、その外周が表面の外周に接し、ノーズパッドをアイウエアに取り付けるノーズパッド取り付け部の側の裏面とを有し、表面が、アイウエアが顔部に装着された場合に、鼻に当接する当接面と、当接面から顔部の前方側へ延伸し、前方側を向いている延伸面とを含むノーズパッドが提供される。
【０００５】
上記のノーズパッドにおいて、延伸面は、アイウエアが顔部に装着された場合に、鼻の付け根にある鼻骨の窪みに皮膚を介して当接する延伸当接面を有してよい。上記のノーズパッドは、アイウエアが顔部に装着された場合に、ノーズパッド取り付け部よりも、前方の反対側の方向である後方に突出する突出部を有してよい。上記のノーズパッドにおいて、突出部は、アイウエアが顔部に装着された場合にノーズパッド取り付け部よりも顔部の上方となる領域、および、アイウエアが顔部に装着された場合にノーズパッド取り付け部よりも顔部の下方となる領域の少なくとも一方が、アイウエアが顔部に装着された場合に前方となる方向に窪んでいてよい。
【０００６】
上記のノーズパッドにおいて、裏面が、ノーズパッド取り付け部が配される第１の面と、少なくとも一部が、第１の面から延伸し、ノーズパッド取り付け部の側面に対向する第２の面とを有してよい。上記のノーズパッドにおいて、表面は、第２の面の外周と接し、第１の面の第２の面が延伸する側とは反対の側に凸に形成されてよい。
【０００７】
本発明の第２の態様においては、顔部に対してアイウエアを位置決めするノーズパッドであって、アイウエアが顔部に装着された場合に、アイウエアにノーズパッドを取り付けるノーズパッド取り付け部よりも、顔部の前方の反対側の方向である後方に突出する突出部を有し、突出部は、アイウエアが顔部に装着された場合にノーズパッド取り付け部よりも顔部の上方となる領域、および、アイウエアが顔部に装着された場合にノーズパッド取り付け部よりも顔部の下方となる領域の少なくとも一方が、アイウエアが顔部に装着された場合に前方となる方向に窪んでいるノーズパッドが提供される。
【０００８】
本発明の第３の態様においては、顔部に装着されるアイウエアであって、上記のノーズパッドを備えるアイウエアが提供される。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】メガネ１００の一例を概略的に示す。
【図２】ブリッジ部分を正面側から見た部分拡大図の一例を概略的に示す。
【図３】ブリッジ部分を背面側から見た部分拡大図の一例を概略的に示す。
【図４】ノーズパッド１６０を裏面の側から見た斜視図の一例を概略的に示す。
【図５】ノーズパッド１６０を表面の側から見た斜視図の一例を概略的に示す。
【図６】メガネフレーム１２０が使用者の顔部１０に装着された状態における、ノーズパッド１６０と使用者の鼻１２との位置関係の一例を概略的に示す。
【図７】ノーズパッド１６０を表面の側から見た図の一例を概略的に示す。
【図８】ノーズパッド１６０を裏面の側から見た図の一例を概略的に示す。
【図９】ノーズパッド１６０のＡ−Ａ'断面図の一例を概略的に示す。
【図１０】ノーズパッド１６０のＢ−Ｂ'断面図の一例を概略的に示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。以下、図面を参照して、実施形態について説明するが、図面の記載において、同一または類似の部分には同一の参照番号を付して重複する説明を省く場合がある。なお、図面は模式的なものであり、厚みと平面寸法との関係、比率等は現実のものとは異なる場合がある。また、説明の都合上、図面相互間においても互いの寸法の関係又は比率が異なる部分が含まれる場合がある。
【００１２】
図１は、メガネ１００の一例を概略的に示す。メガネ１００は、レンズ１１０と、メガネフレーム１２０とを備える。メガネ１００は、一対のレンズ１１０を備えてよい。メガネ１００およびメガネフレーム１２０は、アイウエアの一例であってよい。
【００１３】
メガネフレーム１２０は、一対のレンズ１１０を保持する。メガネフレーム１２０は、リム１２２と、ヨロイ１２４と、蝶番１２５と、テンプル１２６と、モダン１２８と、第１のブリッジ１３０と、第２のブリッジ１４０と、クリングス１４２と、パッド箱１４４と、ノーズパッド１６０とを有してよい。パッド箱１４４は、ノーズパッド保持部の一例であってよい。
【００１４】
リム１２２、ヨロイ１２４、蝶番１２５、テンプル１２６およびモダン１２８は、それぞれ左右一対に設けられる。リム１２２は、レンズ１１０を保持する。ヨロイ１２４は、リム１２２の外側に設けられ、蝶番１２５によりテンプル１２６を回転可能に保持する。テンプル１２６は、使用者の頭部の耳部の上部を押圧して、当該部位を挟持する。モダン１２８は、テンプル１２６の先端に設けられる。
【００１５】
第１のブリッジ１３０は、一対のレンズ１１０を連結する。第２のブリッジ１４０は、一対のレンズ１１０を連結する。これにより、メガネフレーム１２０に外部から力が加わった場合に、第２のブリッジ１４０と、レンズ１１０またはリム１２２との接続箇所に加わる力を軽減することができる。この効果は、第２のブリッジ１４０とクリングス１４２とが一体的に成形されている場合に顕著に表れる。
【００１６】
ここで、一対のレンズを連結するとは、レンズ同士を直接的に連結する場合だけでなく、レンズ同士を間接的に連結する場合をも含む。例えば、レンズを保持するリム同士を連結する場合をも含む。第１のブリッジ１３０がリム同士を連結して、第２のブリッジ１４０がレンズ同士を連結してもよい。一対のレンズは、物理的に分離した２枚のレンズであってもよいし、一対のレンズが一体的に連結していてもよい。
【００１７】
連結するとは、ひと続きになるようにつなぎ合わせることをいい、例えば、第１のブリッジ１３０または第２のブリッジ１４０と、一対のレンズまたはリムのそれぞれとを、ロウ付け、ネジ止め、はめ込み等によりしっかりと固定することで、一対のレンズまたはリムをつなぎ合わせることをいう。第１のブリッジ１３０または第２のブリッジ１４０と、一対のレンズまたはリムのそれぞれとが単に接している場合は含まれない。
【００１８】
第２のブリッジ１４０は、クリングス１４２と一体的に成形されてよい。第２のブリッジ１４０は、第２のブリッジ１４０の端部が延伸して、クリングス１４２を形成してよい。クリングス１４２は、ノーズパッド１６０を保持してよい。クリングス１４２は、その一端においてパッド箱１４４と連結されてよい。クリングス１４２は、パッド箱１４４から直線状に延伸する棒状の部分を有してよい。クリングス１４２は、メガネフレーム１２０を、メガネ１００の使用者の顔部に対して位置決めしてよい。
【００１９】
ここで、第２のブリッジ１４０とクリングス１４２とが一体的に成形されるとは、第２のブリッジ１４０およびクリングス１４２が、一の材料を変形させて製造される場合、第２のブリッジ１４０およびクリングス１４２が、鋳造、プレスなどにより同一の工程で製造される場合を例示することができる。また、第２のブリッジ１４０およびクリングス１４２がそれぞれ別々に製造された後に組み合わされて一つの部材を構成している場合であっても、第２のブリッジ１４０とクリングス１４２とが、リム１２２またはレンズ１１０の異なる位置に取り付けられていない場合には、第２のブリッジ１４０とクリングス１４２とが一体的に成形される場合として例示することができる。
【００２０】
パッド箱１４４は、ノーズパッド１６０を保持する。パッド箱１４４は、ノーズパッド１６０を可動的に保持してよい。パッド箱１４４は、ノーズパッドの１６０の一部を収容してよい。パッド箱と、ノーズパッド１６０のパッド箱１４４に収容された部分との間には隙間があってよい。ノーズパッド１６０は、メガネ１００の使用者の鼻に当接して、メガネフレーム１２０をメガネ１００の使用者の顔部に対して位置決めする。
【００２１】
図２は、ブリッジ部分を正面側から見た部分拡大図の一例を概略的に示す。図２に示すとおり、ノーズパッド１６０は、ノーズパッド本体２６２と、ノーズパッド取り付け部２６４とを有してよい。ノーズパッド本体２６２は、ポリエステル、シリコーン樹脂などの樹脂を含んでもよく、チタンなどの金属を含んでもよい。
【００２２】
ノーズパッド取り付け部２６４は、ノーズパッド本体２６２をメガネフレーム１２０に取り付ける。ノーズパッド取り付け部２６４とノーズパッド本体２６２とが結合され、ノーズパッド取り付け部２６４の一部がパッド箱１４４に収容され、ネジなどで可動的に固定されることで、ノーズパッド１６０がメガネフレーム１２０に取り付けられてよい。ノーズパッド取り付け部２６４は、ノーズパッド本体２６２の上に配されてもよく、ノーズパッド取り付け部２６４の一部がノーズパッド本体２６２の内部に埋設されてもよい。ノーズパッド本体２６２とノーズパッド取り付け部２６４とが一体的に成形されてもよい。
【００２３】
本実施形態において、第１のブリッジ１３０は、リム１２２の正面側の面２２２に取り付けられている。第２のブリッジ１４０は、リム１２２の互いに対向する面２２６と背面側の面２２８の角部に取り付けられている。また、第１のブリッジ１３０と第２のブリッジ１４０とは、メガネフレーム１２０を正面から見た場合に、第１のブリッジ１３０および第２のブリッジ１４０の少なくとも一部が重なる位置で一対のレンズ１１０を連結している。第１のブリッジ１３０と第２のブリッジ１４０とが、一対のリム１２２のそれぞれの異なる面に取り付けられることで、第１のブリッジ１３０およびリム１２２の接続と、第２のブリッジ１４０およびリム１２２の接続とが相補的に補強しあうことができる。
【００２４】
なお、本実施形態において、第２のブリッジ１４０がリム１２２の互いに対向する面２２６と背面側の面２２８の角部に取り付けられた場合について説明したが、第１のブリッジ１３０および第２のブリッジ１４０の取り付け方法はこれに限定されない。第１のブリッジ１３０と第２のブリッジ１４０とが、一対のリム１２２のそれぞれの異なる面に取り付けられていればよく、例えば、第２のブリッジ１４０がリム１２２の互いに対向する面２２６だけに取り付けられていてもよい。第１のブリッジ１３０が、リム１２２の互いに対向する面２２６に取り付けられ、第２のブリッジ１４０が、リム１２２の正面側の面２２２、上面２２４または背面側の面２２８に取り付けられてもよい。
【００２５】
図３は、ブリッジ部分を背面側から見た部分拡大図の一例を概略的に示す。図３に示すように、第２のブリッジ１４０は、一対のレンズ１１０を連結する連結部３４２と、連結部３４２およびクリングス１４２の間に配される屈曲部３４４を有してよい。屈曲部３４４は、連結部３４２からメガネフレーム１２０の前後方向に実質的に平行に延伸して、クリングス１４２側の端部において、メガネフレーム１２０の下方向に屈曲してよい。
【００２６】
連結部３４２の幅、厚さまたは太さは、クリングス１４２の幅、厚さまたは太さより大きくてよい。屈曲部３４４は、連結部３４２に結合する側からクリングス１４２に結合する側に向かって、その幅、厚さまたは太さが徐々に小さくなってよい。図３に示すように、クリングス１４２は、屈曲部３４４からパッド箱１４４に向かって直線状に延伸してよい。
【００２７】
これにより、クリングス１４２が直線状に延伸する部分の長さを大きくすることができ、クリングス１４２の撓みを大きくすることができる。その結果、ノーズパッド１６０がよりソフトにかつしっかりと鼻を挟持することができる。顔部の前後方向におけるノーズパッド１６０の位置を容易に調整することもできる。また、鼻骨は、鼻の付け根の近傍に窪みを有する。クリングス１４２が顔部の前後方向に撓むことで、ノーズパッド１６０を上記窪みの顔部の前方側の側面に対して押し付けることができる。これにより、メガネフレーム１２０を顔部に装着した場合の安定感を向上させることができる。
【００２８】
なお、本実施形態において、アイウエアがメガネである場合について説明した。しかし、アイウエアはこれに限定されない。アイウエアは、目に関連する装具であればよく、メガネ、サングラス、ゴーグルおよびヘッドマウントディスプレイならびにこれらのフレームなどの顔面装着具または頭部装着具であってよい。
【００２９】
図４は、ノーズパッド１６０を裏面の側から見た斜視図の一例を概略的に示す。図５は、ノーズパッド１６０を表面の側から見た斜視図の一例を概略的に示す。図４および図５は、ノーズパッド本体２６２の材質として、透明または半透明の材料を用いた場合を示す。図４に示すとおり、ノーズパッド本体２６２は、表面４０２と、裏面４０４とを有する。ノーズパッド取り付け部２６４は、芯部４６２と、収容部４６４とを有する。
【００３０】
本明細書において、ノーズパッド１６０が取り付けられたメガネフレーム１２０が使用者の顔部に装着された状態における、頭頂側の方向を上方といい、正面側の方向を前方という。上方とは使用者の正面方向から背面方向に渡る広い範囲をいい、前方とは使用者の左手方向から右手方向に渡る広い範囲をいう。なお、上方の反対側の方向を下方といい、前方の反対側の方向を後方という。
【００３１】
なお、ノーズパッド本体２６２の上方部分とは、ノーズパッド１６０が取り付けられたメガネフレーム１２０を装着した使用者が水平面に垂直に立った状態で、ノーズパッド取り付け部２６４の中心を通り、水平面に平行な面でノーズパッド本体２６２を上下に分割した場合に、分割面より上方にある部分をいう。ノーズパッド本体２６２の前方部分とは、ノーズパッド１６０が取り付けられたメガネフレーム１２０を装着した使用者が水平面に垂直に立った状態で、ノーズパッド取り付け部２６４の中心を通り、使用者の左右方向に平行な面でノーズパッド本体２６２を前後に分割した場合に、分割面よりも前方にある部分をいう。
【００３２】
ノーズパッド取り付け部２６４の中心とは、芯部４６２または収容部４６４の重心がノーズパッド本体２６２の裏面４０４に投影された点であってよい。芯部４６２の重心がノーズパッド本体２６２の裏面４０４に投影された点と、収容部４６４の重心がノーズパッド本体２６２の裏面４０４に投影された点とが大きく異なる場合には、収容部４６４の重心がノーズパッド本体２６２の裏面４０４に投影された点をノーズパッド取り付け部２６４の中心としてよい。ノーズパッド取り付け部２６４がノーズパッド本体２６２と一体的に形成される場合には、収容部４６４に相当する部分の重心がノーズパッド本体２６２の裏面４０４に投影された点をノーズパッド取り付け部２６４の中心としてよい。
【００３３】
ノーズパッド本体２６２は、一部が表面４０２側から裏面４０４側に反り返った形状を有してよい。ノーズパッド本体２６２は、略楕円体形状を有する中空体を半分に切断して得られたボート状の形状を有してよい。ノーズパッド本体２６２の厚さは、ノーズパッド取り付け部２６４の端部から中央に向かって大きくなり、ノーズパッド取り付け部２６４の中心近傍で最も大きくなってよい。これにより、よりソフトなフィット感を得ることができる。
【００３４】
ノーズパッド本体２６２は、ボートの床に相当する部分にノーズパッド取り付け部２６４が配されてよい。ノーズパッド本体２６２は、ボートの壁に相当する部分の一部が切り取られた形状を有してよい。これにより、ノーズパッド本体２６２に押圧された皮膚をノーズパッド本体２６２の外側に逃がすことができる。ノーズパッド本体２６２は、ノーズパッド本体２６２の後方部分の上記壁に相当する部分の一部が切り取られた形状を有してよい。これにより、ノーズパッド１６０をメガネフレーム１２０に取り付ける場合に、メガネフレーム１２０の背面側からノーズパッド１６０をネジ止め等により固定することができる。
【００３５】
表面４０２は、ノーズパッド１６０が取り付けられたメガネフレーム１２０が顔部に装着された場合に鼻側になる面であり、その一部において鼻と当接する。表面４０２は、曲率の異なる複数の面により構成されてよい。表面４０２は、複数の曲面が滑らかに組み合わされて構成されてよい。表面４０２は、顔部の鼻付近の形状に応じた形状を有してよい。表面４０２の形状は、人体頭部モデルに基づいて設計されてよい。
【００３６】
人体頭部モデルは、例えば、以下の手順で作製することができる。複数の人間の頭部の３次元形状を計測し、計測データから解剖学的に対応付けた複数のデータ点を抽出する。頭部の３次元形状は、数十人分の計測データを収集してよい。被験者の性別および年齢は適宜設定してよい。データ点の数は、１人の３次元形状あたり４００〜５００点であってよい。各データ点の位置を平均化することで、人体頭部モデルを作製することができる。人体頭部モデルは、物理的な模型であってもよいし、メモリ、磁気ディスク、光学ディスク、光磁気ディスクなどの記憶媒体または記憶装置に格納されるデータであってもよい。
【００３７】
裏面４０４は、ノーズパッド取り付け部２６４側の面であり、ノーズパッド１６０がメガネフレーム１２０に取り付けられる場合に、パッド箱１４４と対向する。裏面４０４は、その外周が表面４０２の外周に接する。裏面４０４は異なる曲率を有する複数の面により構成されてよい。
【００３８】
ノーズパッド本体２６２は、メガネフレーム１２０が顔部に装着された場合に、ノーズパッド取り付け部２６４よりも、後方に突出する突出部４０６を有してよい。これにより、使用者がメガネフレーム１２０を装着するときに、ノーズパッド取り付け部２６４が眼球、鼻または顔部に直接接触することを防止することができる。
【００３９】
突出部４０６は、メガネフレーム１２０が顔部に装着された場合にノーズパッド取り付け部２６４よりも上方となる領域、および、メガネフレーム１２０が顔部に装着された場合にノーズパッド取り付け部２６４よりも下方となる領域の少なくとも一方が、メガネフレーム１２０が顔部に装着された場合に前方となる方向に窪んでいてよい。
【００４０】
本実施形態において、突出部４０６は、メガネフレーム１２０が顔部に装着された場合にノーズパッド取り付け部２６４の中心よりも顔部の上方となる領域に凹部４１２を有し、ノーズパッド取り付け部２６４の中心よりも顔部の下方となる領域に凹部４１４を有する。突出部４０６は、凹部４１２および凹部４１４において、メガネフレーム１２０が顔部に装着された場合に前方となる方向に窪んでいる。これにより、使用者がメガネフレーム１２０を装着するときに、ノーズパッド１６０に押された皮膚が凹部４１２および凹４１４から開放されるので、より快適な装着感が得られる。また、突出部４０６が複数個所で窪むことで、突出部４０６と顔部との接触面積をより小さくすることができるので、より快適な装着感が得られる。
【００４１】
芯部４６２は、ノーズパッド本体２６２と結合されてよい。芯部４６２は、収容部４６４と結合されてよい。本実施形態において、芯部４６２は、板状の形状を有する。芯部４６２は、左右対称の形状を有する。芯部４６２は、ノーズパッド本体２６２に埋設される。また、芯部４６２の重心がノーズパッド本体２６２の裏面４０４に投影された点と、収容部４６４の重心がノーズパッド本体２６２の裏面４０４に投影された点とが等しい。なお、芯部４６２はこれに限定されない。例えば、芯部４６２が左右非対称の形状を有してよい。
【００４２】
収容部４６４は、その一部がパッド箱１４４に収容されてよい。収容部４６４は、パッド箱１４４に可動的に固定されてよい。収容部４６４は、貫通孔５６４を有してよい。貫通孔５６４は、パッド箱１４４と収容部４６４とが結合される結合部位の一例であってよい。収容部４６４は、貫通孔５６４の内部を貫通し、貫通孔５６４の内径よりも小さな外径を有するネジ等によって、パッド箱に固定されてよい。本実施形態においては、収容部４６４がパッド箱１４４に挿入される場合について説明したが、ノーズパッド取り付け部２６４およびノーズパッド保持部はこれに限定されない。
【００４３】
上記ボートの床に相当する部分から貫通孔５６４の内面までの高さの最小値は、上記ボートの床に相当する部分から上記ボートの壁に相当する部分の上面までの高さの最大値より、小さくてよい。上記ボートの床に相当する部分から貫通孔５６４の内面までの高さの最大値が、上記ボートの床に相当する部分から上記ボートの壁に相当する部分の上面までの高さの最大値より、小さくてもよい。これらの構成により、表面４０２におけるボートの壁に相当する部分の面積が大きくなるので、ノーズパッド１６０の調整が容易になり、調整時間を短縮することができる。
【００４４】
図６は、メガネフレーム１２０が使用者の顔部１０に装着された状態における、ノーズパッド１６０と使用者の鼻１２との位置関係の一例を概略的に示す。図６は、左側のノーズパッド１６０と鼻１２との位置関係を頭頂側から見た図の一例を示す。なお、図６においては、説明を簡単にする目的で、右側のノーズパッド１６０は図示していない。
【００４５】
ノーズパッド本体２６２は、主にノーズパッド本体２６２の中央近傍でメガネ１００からの荷重を支える。そのため、従来は、ノーズパッド本体２６２の中央近傍より下方の部分およびノーズパッド本体２６２の中央近傍より後方の部分の形状については重視されてこなかった。例えば、パッド本体の中央近傍より下方の部分の一部が欠けたデザイン、パッド本体の中央近傍より後方の部分が略楕円形の形状を有するデザインなどが採用される場合があった。
【００４６】
本発明者は、鼻１２の付け根にある鼻骨の窪みに着目し、鋭意研究した結果、ノーズパッド本体２６２の表面４０２の形状を鼻１２の付け根にある鼻骨の窪みに合う形状とすることで、メガネフレーム１２０を顔部に装着した場合の安定感が大きく向上することを見出した。特に、ノーズパッド本体２６２の下方部分の前方側の部分に、上記鼻骨の窪みの側面のうち前方側の側面の形状に合う面を形成することで、上下方向のずれだけでなく、メガネフレーム１２０を装着している間にメガネフレーム１２０が顔部１０の前後方向にずれることを抑制できることを見出した。また、本発明者は、ノーズパッド本体２６２の後方部分の形状を鋭意研究した結果、上述のとおり、ノーズパッド本体２６２の後方部分に凹部４１２および凹部４１４の少なくとも一方を設けることで、より快適な装着感が得られることを見出した。
【００４７】
図６に示すとおり、本実施形態において、ノーズパッド本体２６２の表面４０２の中央近傍が鼻１２に当接して、メガネ１００の荷重を支える。また、ノーズパッド本体２６２の下方部分の前方側の部分の一部が鼻１２の付け根の鼻骨の窪みと皮膚を介して当接して、メガネ１００が前後方向にずれるのを抑制する。
【００４８】
図７は、ノーズパッド１６０を表面４０２の側から見た図の一例を概略的に示す。図７は、ノーズパッド１６０の表面のうち、メガネフレーム１２０が使用者の顔部１０に装着された場合に使用者の鼻と強く接する領域および鼻の付け根の鼻骨の窪みと接する領域の一例を概略的に示す。
【００４９】
図７に示すとおり、表面４０２は、メガネフレーム１２０が顔部に装着された場合に、鼻に当接する当接面７０２を有する。表面４０２は、当接面７０２から顔部の前方側へ延伸し、前方側を向いている延伸面７０４を有する。また、延伸面７０４は、メガネフレーム１２０が顔部に装着された場合に、鼻の付け根にある鼻骨の窪みに皮膚を介して当接する延伸当接面７０６を有する。延伸面７０４は、上記ボートの壁に相当する部分であってよい。
【００５０】
ここで、面の向きまたは面の方向は、その面の単位長さの法線ベクトルが指す方向とする。なお、面に対して法線ベクトルの指す側の領域を正の領域とし、正の領域を向く側を面の表、反対側を面の裏とする。また、多面体の表面は、面の表が見えているとする。
【００５１】
図８は、ノーズパッド１６０を裏面４０４の側から見た図の一例を概略的に示す。図８に示すとおり、裏面４０４は、第１の面８０２と、第２の面８０４とを有してよい。第１の面８０２には、ノーズパッド取り付け部２６４が配される。第１の面８０２は、上記ボートの床に相当する部分であってよい。第１の面８０２は平面であってよい。
【００５２】
第２の面８０４は、少なくとも一部が、第１の面８０２から延伸し、ノーズパッド取り付け部２６４の側面に対向してよい。第２の面８０４は、上記ボートの壁に相当する部分の一部を構成する面を有してよい。上記ボートの壁に相当する部分は、第１の面８０２から、第１の面８０２の向く側に突出してよい。第２の面８０４は、異なる曲率を有する複数の面により構成されてよい。
【００５３】
表面４０２は、第２の面８０４の外周と接し、第１の面８０２の向きとは反対の側に凸に形成されてよい。表面４０２は、第１の面８０２の向きと同じ側を向く面と、第１の面８０２の向きと反対の側を向く面とを有してよい。
【００５４】
本実施形態において、第１の面８０２の向きと同じ側を向く面の一部を第２の面８０４とし、表面４０２が第１の面８０２の向きと同じ側を向く面の一部を有する場合について説明した。しかし、表面４０２および裏面４０４はこれに限定されない。第１の面８０２の向きと同じ側を向く面であって第１の面８０２とは異なる面を第２の面８０４として、表面４０２は第１の面８０２の向きと反対の側を向く面により構成されてもよい。
【００５５】
図９は、図８におけるノーズパッド１６０のＡ−Ａ'断面図の一例を概略的に示す。Ａ−Ａ'断面は、ノーズパッド取り付け部２６４の中心を通る。なお、図中の符号９１０は、上記ボートの壁に相当する部分を示す。
【００５６】
図９に示すとおり、第１の面８０２から第２の面８０４の外周までの高さの最大値ｈ１は、第１の面８０２から貫通孔５６４の内面までの高さの最小値ｈ２より大きくてよい。上記の最大値ｈ１は、第１の面８０２から貫通孔５６４の内面までの高さの最大値より大きくてもよい。第１の面８０２から第２の面８０４の外周までの高さの最大値ｈ１は、ノーズパッド本体２６２の前方部分において計測されてよい。特に、ノーズパッド本体２６２の下方部分の前方側において計測されてよい。
【００５７】
これらの構成により、表面４０２におけるボートの壁に相当する部分の面積が大きくなる。その結果、ノーズパッド１６０の調整が容易になり、調整時間を短縮することができる。なお、第１の面８０２からの高さとは、第１の面８０２を基準とした第１の面８０２の法線方向への距離をいう。
【００５８】
第１の面８０２から第２の面８０４の外周までの高さは、上方（図中、右方向。）から下方（図中、左方向。）に向かうにつれて、大きくなってよい。これにより、メガネフレーム１２０が顔部に装着された場合に、鼻骨の窪みの近傍に配される表面４０２の面積を大きくすることができる。その結果、ノーズパッド１６０の調整が容易になり、調整時間を短縮することができる。
【００５９】
図９に示すとおり、ノーズパッド本体２６２の厚さは、ノーズパッド取り付け部２６４の端部から中央に向かって大きくなり、ノーズパッド取り付け部２６４の中心近傍で最も大きくなってよい。これにより、よりソフトなフィット感を得ることができる。なお、ノーズパッド本体２６２の厚さとは、裏面４０４を構成する面を基準とした当該面の法線方向への厚さをいう。
【００６０】
図１０は、図８におけるノーズパッド１６０のＢ−Ｂ'断面図の一例を概略的に示す。Ｂ−Ｂ'断面は、ノーズパッド取り付け部２６４の中心を通る。図１０に示すとおり、第２の面８０４は、第１の面８０２から第２の面８０４の外周までの高さが、第１の面８０２から貫通孔５６４の内面までの高さの最小値ｈ２より小さい領域を有してよい。上記の領域は、収容部４６４の貫通孔５６４が設けられた面と対向する領域に設けられてよい。上記の領域は、ノーズパッド本体２６２の後方部分に設けられてよい。これらの構成により、ノーズパッド１６０をメガネフレーム１２０に取り付ける場合に、メガネフレーム１２０の背面側からノーズパッド１６０をネジ止め等により固定することができる。
【００６１】
図１０に示すとおり、ノーズパッド本体２６２の厚さは、ノーズパッド取り付け部２６４の端部から中央に向かって大きくなり、ノーズパッド取り付け部２６４の中心近傍で最も大きくなってよい。これにより、よりソフトなフィット感を得ることができる。
【００６２】
以上の記載によれば、本願明細書には、顔部に対してアイウエアを位置決めするノーズパッドであって、アイウエアが顔部に装着された場合に、アイウエアにノーズパッドを取り付けるノーズパッド取り付け部よりも、顔部の前方の反対側の方向である後方に突出する突出部を備え、突出部は、アイウエアが顔部に装着された場合にノーズパッド取り付け部よりも顔部の上方となる領域、および、アイウエアが顔部に装着された場合にノーズパッド取り付け部よりも顔部の下方となる領域の少なくとも一方が、アイウエアが顔部に装着された場合に前方となる方向に窪んでいるノーズパッドが記載されている。また、顔部に装着されるアイウエアであって、ノーズパッドを備えるアイウエアが記載されている。
【００６３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６５】
１０  顔部
１２  鼻
１００  メガネ
１１０  レンズ
１２０  メガネフレーム
１２２  リム
１２４  ヨロイ
１２５  蝶番
１２６  テンプル
１２８  モダン
１３０  第１のブリッジ
１４０  第２のブリッジ
１４２  クリングス
１４４  パッド箱
１６０  ノーズパッド
２２２  正面側の面
２２４  上面
２２６  互いに対向する面
２２８  背面側の面
２６２  ノーズパッド本体
２６４  ノーズパッド取り付け部
３４２  連結部
３４４  屈曲部
４０２  表面
４０４  裏面
４０６  突出部
４１２  凹部
４１４  凹部
４６２  芯部
４６４  収容部
５６４  貫通孔
７０２  当接面
７０４  延伸面
７０６  延伸当接面
８０２  第１の面
８０４  第２の面
９１０  符号
【図１】
2012037669.tif 000003
【図２】
2012037669.tif 000004
【図３】
2012037669.tif 000005
【図４】
2012037669.tif 000006
【図５】
2012037669.tif 000007
【図６】
2012037669.tif 000008
【図７】
2012037669.tif 000009
【図８】
2012037669.tif 000010
【図９】
2012037669.tif 000011
【図１０】
2012037669.tif 000012